(57)【要約】【課題】Ｉ２Ｃのシリアルインタフェースを用いて外部ノードから管理信号の読み出しおよびデータ出力が可能な加入者宅側光回線終端装置を提供する。【解決手段】ＯＮＵ１００では、ＯＮＵ機能部１２０が別のシリアル信号端１２１を有しており、副シリアル伝送路１６６を介して第１マネージメント処理部１６５が接続されている。さらに、第１マネージメント処理部１６５とＭＳＡインタフェースモジュール１４０との間が追加監視信号伝送路１６７と監視信号伝送路１６２で接続されており、監視信号伝送路１６２のＭＳＡインタフェースモジュール１４０側は、サブＩ／Ｆ部１４２に接続されている。第１マネージメント処理部１６５と追加監視信号伝送路１６７と監視信号伝送路１６２とを用いることにより、ＯＬＴ１１とＯＮＵ１００との間で伝送される信号のＯＡＭレイヤに設定されている管理信号の一部を外部ノード７０に出力することができる。【選択図】図１
2010154404.tif 000002
【特許請求の範囲】
【請求項１】
光伝送路を介してセンタ側光回線終端装置と接続され、外部ノードとはＭＳＡ（マルチソースアグリーメント）インタフェースで接続されて終端処理を行う加入者宅側光回線終端装置であって、
前記センタ側光回線終端装置に接続されて信号の光電気変換及び電気光変換を行う電気／光変換部と、
前記電気／光変換部に接続されて前記信号の終端処理を行う光回線終端装置機能部と、
前記光回線終端装置機能部に接続されて前記信号のシリアル・パラレル変換及びパラレル・シリアル変換を行うシリアル／パラレル変換部と、
前記シリアル／パラレル変換部に接続されて前記外部ノードとの間で前記信号の入出力を行う主Ｉ／Ｆ（インタフェース）部と、シリアル信号を入出力するサブＩ／Ｆ部とを有するＭＳＡインタフェースモジュールと、
前記光回線終端装置機能部とシリアル信号線またはパラレル信号線で接続されて終端処理された前記信号の一部を入力し、前記信号の一部をシリアル信号に変換する第１マネージメント処理部と、
前記第１マネージメント処理部から前記サブＩ／Ｆ部に前記シリアル信号を伝送するための監視信号伝送路と、
前記電気／光変換部に接続されて所定の物理データを入力し、該物理データをシリアル信号に変換して出力する第２マネージメント処理部と、
前記第２マネージメント処理部と前記サブＩ／Ｆ部とを接続する別の監視信号伝送路と、を備え、
前記監視信号伝送路は前記別の監視信号伝送路を経由して前記サブＩ／Ｆ部に接続されている
ことを特徴とする加入者宅側光回線終端装置。
【請求項２】
光伝送路を介してセンタ側光回線終端装置と接続され、外部ノードとはＭＳＡ（マルチソースアグリーメント）インタフェースで接続されて終端処理を行う加入者宅側光回線終端装置であって、
前記センタ側光回線終端装置に接続されて信号の光電気変換及び電気光変換を行う電気／光変換部と、
前記電気／光変換部に接続されて前記信号の終端処理を行う光回線終端装置機能部と、
前記光回線終端装置機能部に接続されて前記信号のシリアル・パラレル変換及びパラレル・シリアル変換を行うシリアル／パラレル変換部と、
前記シリアル／パラレル変換部に接続されて前記外部ノードとの間で前記信号の入出力を行う主Ｉ／Ｆ（インタフェース）部と、シリアル信号を入出力するサブＩ／Ｆ部とを有するＭＳＡインタフェースモジュールと、
前記光回線終端装置機能部とシリアル信号線またはパラレル信号線で接続されて終端処理された前記信号の一部を入力し、前記信号の一部をシリアル信号に変換する第１マネージメント処理部と、
前記第１マネージメント処理部から前記サブＩ／Ｆ部に前記シリアル信号を伝送するための監視信号伝送路と、を備え、
前記第１マネージメント処理部は、さらに前記電気／光変換部に接続されて所定の物理データを入力し、該物理データまたは前記光回線終端装置機能部から入力した前記信号の一部をシリアル信号に変換して前記監視信号伝送路を経由して前記サブＩ／Ｆ部に伝送している
ことを特徴とする加入者宅側光回線終端装置。
【請求項３】
前記信号は、ＰＯＮ規格に基づく管理信号を有しており、前記第１マネージメント処理部は、前記信号の一部として前記管理信号の一部を入力する
ことを特徴とする請求項１または２に記載の加入者宅側光回線終端装置。
【請求項４】
前記管理信号は、前記センタ側光回線終端装置との間で送受信されるＯＡＭ（Operation，Administration，and Maintenance）用の信号である
ことを特徴とする請求項３に記載の加入者宅側光回線終端装置。
【請求項５】
前記第１マネージメント処理部は、前記ＭＳＡインタフェースモジュールに接続された前記外部ノードから前記サブＩ／Ｆ部を介して入力された所定の外部信号に従って前記信号の一部を選択して出力する
ことを特徴とする請求項１乃至４のいずれか１項に記載の加入者宅側光回線終端装置。
【請求項６】
前記第１マネージメント処理部は、前記ＭＳＡインタフェースモジュールに接続された前記外部ノードから前記サブＩ／Ｆ部を介して所定の外部信号を入力し、該外部信号をシリアル信号またはパラレル信号に変換して前記光回線終端装置機能部に出力する
ことを特徴とする請求項１乃至５のいずれか１項に記載の加入者宅側光回線終端装置。
【請求項７】
前記第１マネージメント処理部は、前記光回線終端装置機能部と同じ演算装置を用いて処理され、前記管理信号伝送路は、前記演算装置と前記サブＩ／Ｆ部とを接続している
ことを特徴とする請求項１乃至６のいずれか１項に記載の加入者宅側光回線終端装置。
【発明の詳細な説明】
【技術分野】
【０００１】
本発明は、ＰＯＮ型の光伝送システムにおいて加入者宅に設置される加入者宅側光回線終端装置に関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図８に示すように、センタの光回線終端装置（ＯＬＴ：Optical Line Termination）９０１が光ファイバ９０２を介してスプリッタ９０３の合波端に接続され、スプリッタ９０３の複数の分波端には光ファイバ９０４−１、…９０４−ｎを介して各加入者宅に設置された光回線終端装置（ＯＮＵ：Optical Network Unit）９０５−１、…９０５−ｎが接続される。
【０００４】
ＯＮＵ９０５−１、…９０５−ｎの構成を図９に示す。同図は、一例としてＯＮＵ９０５−１の構成を示しており、ＯＮＵ９０５−１は、光トランシーバ部９０６、ＯＮＵ機能部９０７、シリアル／パラレル変換部（ＳＥＲＤＥＳ）９０８、及びイーサネット（登録商標）インタフェース９０９を備える構成となっている。スプリッタ９０３に接続された光ファイバ９０４−１が、各加入者宅に設けられた光成端ユニット９１０を介して光トランシーバ部９０６に接続されている。
【０００５】
イーサネット（登録商標）インタフェース９０９として、１０／１００／１０００ＢＡＳＥ−ＴＸ等を用いることができ、これに例えばＬＡＮケーブル９１１が接続される。ＬＡＮケーブル９１１には、コンピュータやプリンタ等の端末機器９１４を直接接続することができ、またルータ９１２やスイッチングハブ９１３等のスイッチを接続し、これに別の端末機器９１４を接続することもできる。また、インタフェース９０９として、ＭＳＡ（Multi-Source Agreement）インタフェースの規格に対応させたＭＳＡインタフェースモジュールを用いた場合には、外部ノードに設けられたＭＳＡインタフェーススロットに直接接続することが可能となり、ＬＡＮケーブルの接続が不要になって省スペース化が図れるなどの大きな利点がある。
【０００６】
ＭＳＡインタフェースモジュールを備えたＯＮＵの詳細構成について、図１０を用いて説明する。図１０は、ＯＮＵ９０５（９０５−１〜９０５−ｎのいずれか）の詳細構成の一例を示すブロック図であり、インタフェース９０９としてＭＳＡインタフェースモジュールを備えている。光トランシーバ部９０６は、ＯＬＴ９０１と加入者側の外部ノードとの間で伝送される光信号を電気信号に、または電気信号を光信号に変換しており、ＯＳＩ（Open Systems Interconnection）参照モデルにおける物理層（Ｌ１）の処理を行っている。この光／電気変換及び電気／光変換の処理を制御・管理するために、ＯＮＵ９０５にはマネージメント処理部９２１が備えられている。
【０００７】
マネージメント処理部９２１は、光トランシーバ部９０６や温度センサ（図示せず）等と接続され、光トランシーバ部９０６に内蔵されるレーザダイオード（ＬＤ）の光出力やＯＮＵ９０５の温度といった物理データを入力している。また、ＭＳＡインタフェースモジュール９０９には、Ｉ２Ｃ（Ｉｎｔｅｒ  Ｉｎｔｅｇｒａｔｅｄ  Ｃｉｒｃｕｉｔ）に対応したシリアルポート９０９ｂが設けられており、マネージメント処理部９２１とシリアルポート９０９ｂとの間がＩ２Ｃ信号線で接続されている。これにより、ＭＳＡインタフェースモジュール９０９が接続された外部ノードでは、シリアルポート９０９ｂを経由して上記の物理データを入力することが可能となっている。
【特許文献１】特開平９−２１４５４１号公報
【発明の開示】
【発明が解決しようとする課題】
【０００８】
しかしながら、ＰＯＮ型の光伝送システムにおいて通信異常等があった場合、現状では外部ノード側からＯＮＵの通信異常等の情報を入力する手段がなかった。外部ノード側でＯＮＵ９０５から入力可能な情報としては、シリアルポート９０９ｂから入力できる光出力や温度等の物理データだけである。このような物理データだけでは、加入者側で通信状態の異常を知ることは難しかった。
【０００９】
また、ＯＮＵの製造時や保守時等においても、ＯＮＵの動作情報を読み出す手段が設けられていないために、ＯＮＵの評価試験等に多大の時間を要するといった問題もあった。さらには、ＯＮＵの小型化が進むとともに、製造時や保守時等に使用するＯＮＵの動作情報を読み出す手段をＯＮＵに実装するためのスペース確保も問題となっていた。
【００１０】
そこで、本発明はこのような問題を解決するためになされたものであり、ＭＳＡインタフェースモジュールに設けられたＩ２Ｃのシリアルインタフェースを用いて外部ノードから管理信号の読み出しおよびデータ出力が可能な加入者宅側光回線終端装置を提供することを目的とする。
【課題を解決するための手段】
【００１１】
本発明の加入者宅側光回線終端装置の第１の態様は、光伝送路を介してセンタ側光回線終端装置と接続され、外部ノードとはＭＳＡ（マルチソースアグリーメント）インタフェースで接続されて終端処理を行う加入者宅側光回線終端装置であって、前記センタ側光回線終端装置に接続されて信号の光電気変換及び電気光変換を行う電気／光変換部と、前記電気／光変換部に接続されて前記信号の終端処理を行う光回線終端装置機能部と、前記光回線終端装置機能部に接続されて前記信号のシリアル・パラレル変換及びパラレル・シリアル変換を行うシリアル／パラレル変換部と、前記シリアル／パラレル変換部に接続されて前記外部ノードとの間で前記信号の入出力を行う主Ｉ／Ｆ（インタフェース）部と、シリアル信号を入出力するサブＩ／Ｆ部とを有するＭＳＡインタフェースモジュールと、前記光回線終端装置機能部とシリアル信号線またはパラレル信号線で接続されて終端処理された前記信号の一部を入力し、前記信号の一部をシリアル信号に変換する第１マネージメント処理部と、前記第１マネージメント処理部から前記サブＩ／Ｆ部に前記シリアル信号を伝送するための監視信号伝送路と、前記電気／光変換部に接続されて所定の物理データを入力し、該物理データをシリアル信号に変換して出力する第２マネージメント処理部と、前記第２マネージメント処理部と前記サブＩ／Ｆ部とを接続する別の監視信号伝送路と、を備え、前記監視信号伝送路は前記別の監視信号伝送路を経由して前記サブＩ／Ｆ部に接続されていることを特徴とする。
【００１２】
本発明の加入者宅側光回線終端装置の他の態様は、光伝送路を介してセンタ側光回線終端装置と接続され、外部ノードとはＭＳＡ（マルチソースアグリーメント）インタフェースで接続されて終端処理を行う加入者宅側光回線終端装置であって、前記センタ側光回線終端装置に接続されて信号の光電気変換及び電気光変換を行う電気／光変換部と、前記電気／光変換部に接続されて前記信号の終端処理を行う光回線終端装置機能部と、前記光回線終端装置機能部に接続されて前記信号のシリアル・パラレル変換及びパラレル・シリアル変換を行うシリアル／パラレル変換部と、前記シリアル／パラレル変換部に接続されて前記外部ノードとの間で前記信号の入出力を行う主Ｉ／Ｆ（インタフェース）部と、シリアル信号を入出力するサブＩ／Ｆ部とを有するＭＳＡインタフェースモジュールと、前記光回線終端装置機能部とシリアル信号線またはパラレル信号線で接続されて終端処理された前記信号の一部を入力し、前記信号の一部をシリアル信号に変換する第１マネージメント処理部と、前記第１マネージメント処理部から前記サブＩ／Ｆ部に前記シリアル信号を伝送するための監視信号伝送路と、を備え、前記第１マネージメント処理部は、さらに前記電気／光変換部に接続されて所定の物理データを入力し、該物理データまたは前記光回線終端装置機能部から入力した前記信号の一部をシリアル信号に変換して前記監視信号伝送路を経由して前記サブＩ／Ｆ部に伝送していることを特徴とする。
【００１３】
本発明の加入者宅側光回線終端装置の他の態様は、前記信号は、ＰＯＮ規格に基づく管理信号を有しており、前記第１マネージメント処理部は、前記信号の一部として前記管理信号の一部を入力することを特徴とする。
【００１４】
本発明の加入者宅側光回線終端装置の他の態様は、前記管理信号は、前記センタ側光回線終端装置との間で送受信されるＯＡＭ（Operation，Administration，and Maintenance）用の信号であることを特徴とする。
【００１５】
本発明の加入者宅側光回線終端装置の他の態様は、前記第１マネージメント処理部は、前記ＭＳＡインタフェースモジュールに接続された前記外部ノードから前記サブＩ／Ｆ部を介して入力された所定の外部信号に従って前記信号の一部を選択して出力することを特徴とする。
【００１６】
本発明の加入者宅側光回線終端装置の他の態様は、前記第１マネージメント処理部は、前記ＭＳＡインタフェースモジュールに接続された前記外部ノードから前記サブＩ／Ｆ部を介して所定の外部信号を入力し、該外部信号をシリアル信号またはパラレル信号に変換して前記光回線終端装置機能部に出力することを特徴とする。
【００１７】
本発明の加入者宅側光回線終端装置の他の態様は、前記第１マネージメント処理部は、前記光回線終端装置機能部と同じ演算装置を用いて処理され、前記管理信号伝送路は、前記演算装置と前記サブＩ／Ｆ部とを接続していることを特徴とする。
【発明の効果】
【００１８】
本発明によれば、Ｉ２Ｃのシリアルインタフェースを用いて外部ノードから管理信号の読み出しおよびデータ出力が可能な加入者宅側光回線終端装置を提供することができる。これにより、加入者宅側光回線終端装置のメンテナンス性を大幅に向上させることが可能となる。
【発明を実施するための最良の形態】
【００１９】
図面を参照して本発明の好ましい実施の形態における加入者宅側光回線終端装置の構成について詳細に説明する。なお、同一機能を有する各構成部については、図示及び説明簡略化のため、同一符号を付して示す。
【００２０】
本発明の第１の実施の形態に係る加入者宅側光回線終端装置（ＯＮＵ）を、図１を用いて説明する。図１は、本実施形態の加入者宅側光回線終端装置１００の構成を示すブロック図である。また、図１に示す本実施形態のＯＮＵ１００を用いて構成されたＰＯＮ型光伝送システムの一例を図２に示す。
【００２１】
図２に示すＰＯＮ型光伝送システム１において、センタに設けられるＰＯＮインタフェースカード１０は、光回線終端装置（ＯＬＴ）１１と認証機能部１２とを有しており、ＯＬＴ１１の光入出力端に光伝送路である光ファイバ２０の一端が接続されている。また、光カプラ（光合分波部）３０は、１つの合波端と２つ以上の分波端とを有しており、合波端にはＯＬＴ１１に接続された光ファイバ２０の他端が接続されている。
【００２２】
光カプラ３０の各分波端には、複数の光ファイバ４０−１、…、４０−ｎ（ｎ：自然数、以下では４０−１〜ｎと記す）のそれぞれの一端が接続され、それぞれの他端にはＯＮＵ１００−１〜ｎが接続されている。このような構成により、ＯＬＴ１１からの下り信号が光カプラ３０で分波されてＯＮＵ１００−１〜ｎのそれぞれに伝送される一方、ＯＮＵ１００−１〜ｎのそれぞれから伝送される光信号が光カプラ３０で合波されてＯＬＴ１１に伝送される。
【００２３】
ＯＮＵ１００−１〜ｎは、それぞれが加入者宅毎に設置され、これにパーソナルコンピュータやスイッチ、ルータ等の外部ノード７０が接続される。図２では、外部ノード７０をスイッチとしており、スイッチに備えられた複数のポート７０ａには複数の端末機器８０が接続されている。外部ノード７０に用いられるスイッチには、Ｌ２スイッチ、Ｌ３スイッチ、ルータ等がある。このような構成により、ＯＮＵ１００を介してセンタのＯＬＴ１１に複数の端末機器８０を接続することができる。
【００２４】
ＯＬＴ１１及びＯＮＵ１００−１〜ｎには、ＧＰＯＮ(Gigabit Passive Optical Networkの略称であり、ＩＴＵ規格G.984.xに準拠した方式)、ＧＥＰＯＮ(Gigabit Ethernet（登録商標） PONの略であり、ＩＥＥＥ８０２．３ａｈ規格に準拠した方式)の規定に適合した装置が使用される。
【００２５】
本実施形態のＯＮＵ１００は、図２に示したＰＯＮ型光伝送システム１を構成する各ＯＮＵに用いることができ、ここではそれぞれをＯＮＵ１００−ｉ（ｉ＝１〜ｎ）で表している。本実施形態のＯＮＵ１００は、ＯＬＴ１１との間で送受信する信号を処理する構成部として、図１に示すように、電気／光変換部（ＴＲｘ）１１０と光回線終端装置機能部（以下ではＯＮＵ機能部と記す）１２０とシリアル／パラレル変換部（ＳＥＲＤＥＳ）１３０とＭＳＡインタフェースモジュール１４０とを備えている。外部ノード７０とのインタフェースには、ＭＳＡインタフェースモジュールを用いる。ＭＳＡインタフェースモジュールとして、ＧＢＩＣ、ＳＦＰ等のモジュールがある。
【００２６】
ＯＬＴ１１との間で送受信する信号を伝送する信号線として、電気／光変換部１１０とＯＮＵ機能部１２０との間は、シリアルな電気信号を伝送する第１のシリアル伝送路１５０ａ（下り信号線）、１５０ｂ（上り信号線）で接続されている。また、ＯＮＵ機能部１２０とシリアル／パラレル変換部１３０との間は、パラレルな電気信号を伝送するパラレル伝送路１５１ａ（下り信号線）、１５１ｂ（上り信号線）で接続されている。パラレル伝送路１５１ａ、１５１ｂを伝送するパラレル信号は、例えば１０ビットの信号とすることができる。さらに、シリアル／パラレル変換部１３０とＭＳＡインタフェースモジュール１４０との間は、シリアルな電気信号を伝送する第２のシリアル伝送路１５２ａ（下り信号線）、１５２ｂ（上り信号線）で接続されている。
【００２７】
電気／光変換部１１０は、センタ側のＯＬＴ１１との間で光ファイバ４０を介して光信号を送受信するための光入出力端を有しており、センタのＯＬＴ１１から送信された光信号（下り信号）を電気信号に変換（光電気変換）している。この電気信号は、下り信号線である第１のシリアル伝送路１５０ａを介してＯＮＵ機能部１２０に出力される。また、電気／光変換部１１０は、ＯＮＵ機能部１２０から上り信号線である第１のシリアル伝送路１５０ｂを介して入力した電気信号を光信号に変換（電気光変換）している。この光信号は、光ファイバ４０を介してＯＬＴ１１に送信される。
【００２８】
ＯＮＵ機能部１２０は、電気／光変換部１１０から入力したシリアル信号をパラレル信号に変換し、所定の終端処理を行った後にこの信号を下り信号線であるパラレル伝送路１５１ａを介してシリアル／パラレル変換部１３０に出力している。また、ＯＮＵ機能部１２０は、シリアル／パラレル変換部１３０から上り信号線であるパラレル伝送路１５１ｂを介して入力したパラレル信号を、所定の終端処理を行った後にシリアル信号に変換して電気／光変換部１１０に出力している。
【００２９】
シリアル／パラレル変換部１３０は、図示しないシリアル／パラレル変換手段とパラレル・シリアル変換手段を備え、ＯＮＵ機能部１２０から入力したパラレル信号をパラレル・シリアル変換手段でシリアル信号に変換し、これを下り信号線である第２のシリアル伝送路１５２ａを介してＭＳＡインタフェースモジュール１４０に出力している。また、シリアル／パラレル変換部１３０は、ＭＳＡインタフェースモジュール１４０から第２のシリアル伝送路１５２ｂを介して入力したシリアル信号をシリアル／パラレル変換手段でパラレル信号に変換してＯＮＵ機能部１２０に出力している。
【００３０】
ＭＳＡインタフェースモジュール１４０は、外部ノード７０のＭＳＡインタフェーススロット（図示せず）に直接接続してシリアルな電気信号で接続するものである。ＭＳＡインタフェースモジュール１４０は、主インタフェース（Ｉ／Ｆ）部１４１とサブＩ／Ｆ部１４２の２つのインタフェース部を備えている。シリアル／パラレル変換部１３０に接続されて外部ノード７０との間で信号を伝送するための第２のシリアル伝送路１５２ａ、１５２ｂは、主Ｉ／Ｆ部１４１に接続されている。
【００３１】
ＯＮＵ１００は、上記の構成に加えて、ＯＮＵ１００の動作状態に係るデータを外部ノードに出力するために、マネージメント処理部１６０、及びマネージメント処理部１６０とＭＳＡインタフェースモジュール１４０とを接続するシリアル伝送路１６２を備えている。このシリアル伝送路１６２は、Ｉ２Ｃ信号線で構成されており、以下では監視信号伝送路１６２と呼ぶこととする。監視信号伝送路１６２は、双方向にシリアル信号を伝送する信号線１６２ａと外部ノード７０側からクロックを送出する信号線１６２ｂの２本で構成されている。監視信号伝送路１６２のＭＳＡインタフェースモジュール１４０側は、サブＩ／Ｆ部１４２に接続されている。マネージメント処理部１６０は、従来よりアナログ信号線１６３で電気／光変換部１１０に接続され、上記の動作状態に係るデータとして電気／光変換部１１０から物理層のデータを入力してサブＩ／Ｆ部１４２から外部に出力できる構成になっている。
【００３２】
ＰＯＮ型の光伝送システムでは、保守運用機能を強化するために、ＯＬＴ１１とＯＮＵ１００との間で伝送される信号にＯＡＭ（Operation，Administration，and Maintenance）レイヤが規定されている。ＯＡＭレイヤは、ＯＳＩ参照モデルにおける第２層のデータリンク層に相当し、保守運用等に必要な管理信号を伝送するのに用いられている。ＯＡＭレイヤで伝送される管理信号には、通信状態を示すＬＯＳ（Loss of Signal）信号やパケット数、パケット中のエラー数、リンク情報等の情報が含まれる。また、リンク情報には、物理的に受信光が検出可能であるかを示す光レベル検出信号ＳＤ１、受信している光信号がＯＬＴ１１からの論理的信号を含んでいるかを示す信号ＳＤ２、Ｌ２レベルのリンクが確立しているかを示すリンクアップ信号、及び上位レイヤの認証が確立しているかを示す認証信号がある。
【００３３】
しかしながら、従来のＯＮＵでは、これらの管理信号を外部ノードに出力するようには構成されておらず、ＯＬＴ側からＯＮＵを運用管理するのに用いられていた。これらの管理信号が外部ノード側でも入力可能となれば、外部ノードでＯＮＵの通信状態の異常等を容易に検知できるようになる。そこで、例えば図１０に示した従来のＯＮＵ９０５において、信号を終端処理しているＯＮＵ機能部９０７からＭＳＡインタフェースモジュール９０９への伝送手段を新たに追加することで、外部ノードに管理信号を出力できるようにする構成が考えられる。
【００３４】
ＯＮＵ機能部９０７で終端処理された管理信号を入力し、これを外部ノード側に出力するためのマネージメント処理部９２２と伝送路９２３とシリアルポート９２４とを追加した構成を図３に示す。マネージメント処理部９２２は、ＯＮＵ機能部９０７から管理信号を入力し、これを伝送路９２３を経由してシリアルポート９２４に出力することで、ＭＳＡインタフェースモジュール９０９が接続された外部ノードに管理信号を提供することが可能となる。
【００３５】
しかし、ＯＮＵを図３に示すような構成とした場合には、外部ノード側のＭＳＡインタフェーススロットもシリアルポート９２４に対応している必要がある。これに対し、ＭＳＡインタフェースの規格では、ポートの構成が規定されているため、新たにシリアルポート９２４を追加して管理信号の出力に使用することはできない。このようなポート９２４を追加したとしても、外部ノード側のＭＳＡインタフェーススロットがそれに対応できないため、管理信号を入力することはできない。
【００３６】
そこで、本実施形態のＯＮＵ１００は、ＭＳＡインタフェースの規格に準拠するように、従来のＭＳＡインタフェースモジュールを用いて外部ノードに上記の管理信号を出力できるように構成している。図１に示すように、管理データを外部ノードに出力するために、本実施形態では、従来からＯＮＵ１００の物理データの入出力に用いられているサブＩ／Ｆ部１４２を用いるように構成している。サブＩ／Ｆ部１４２を用いるために、本実施形態では、ＯＬＴ１１との間で伝送される信号（管理信号を含む）を終端処理しているＯＮＵ機能部１２０からサブＩ／Ｆ部１４２への伝送手段を新たに設けている。
【００３７】
ＯＮＵ機能部１２０とサブＩ／Ｆ部１４２との間の伝送手段として、本実施形態では、別のマネージメント処理部１６５と別の伝送路１６６、１６７が追加されている。そして、別の伝送路１６７を監視信号伝送路１６２に接続することで、別のマネージメント処理部１６５とサブＩ／Ｆ部１４２との間の伝送路を形成するようにしている。以下では、別のマネージメント処理部１６５を第１マネージメント処理部１６５と呼び、マネージメント処理部１６０を第２マネージメント処理部１６０と呼ぶこととする。
【００３８】
ＯＮＵ機能部１２０は、上記説明の第１のシリアル伝送路１５０ａ、１５０ｂ及びパラレル伝送路１５１ａ、１５１ｂとは別に、シリアル信号端１２１を有している。そこで、別の伝送路１６６を、シリアル信号端１２１と第１マネージメント処理部１６５とを接続する伝送路として設け、これを用いてＯＮＵ機能部１２０から第１マネージメント処理部１６５に上記の管理信号を伝送させるようにしている。別の伝送路１６６は、ＯＮＵ機能部１２０に対応してシリアル伝送路またはパラレル伝送路が用いられる。以下では、一例として別の伝送路１６６をシリアル伝送路とし、これを副シリアル伝送路１６６と呼ぶこととする。また、別の伝送路１６７を、追加監視信号伝送路１６７と呼ぶこととする。
【００３９】
副シリアル伝送路１６６を介してＯＮＵ機能部１２０から第１マネージメント処理部１６５に伝送された管理信号は、さらに追加監視信号伝送路１６７及び監視信号伝送路１６２を経由してサブＩ／Ｆ部１４２に伝送され、サブＩ／Ｆ部１４２を介して外部ノードに出力される。本実施形態では、第２マネージメント処理部１６０から光出力や温度等の物理データが出力されるときは、これらのデータを従来と同様にサブＩ／Ｆ部１４２から外部ノードに出力する。また、第１マネージメント処理部１６５から管理信号が出力されるときは、これがサブＩ／Ｆ部１４２から外部ノードに出力される。
【００４０】
上記のような構成とすることにより、外部ノードはＯＮＵ１００から管理信号の情報を入力することが可能となり、ＯＮＵ１００の通信状態を確認することが可能となる。一例として、外部ノードで入力した管理信号のリンク情報から、例えばＳＤ１＝ＯＫかつＳＤ２＝ＮＧの場合には、ＯＮＵ１００に入力される光レベルが必要な閾値（一例としてー１０ｄＢｍ）以上に達しているものの、論理的に意味を持たない光（一例として連続光）を受けている状態であることがわかる。また、ＳＤ１＝ＯＫかつＳＤ２＝ＯＫの場合には、光信号の中にＯＬＴ１１が出力する論理的意味のある信号（一例としてアイドル信号や制御・管理信号）を検出していることがわかる。さらに、リンクアップ＝ＯＫかつ認証＝ＮＧの場合には、Ｌ２の論理的リンクアップ可能な状態であるが、当該加入者が使用料金を支払っていない等の理由で認証が通らないことがわかる。
【００４１】
また、ＩＥＥＥ８０２．３ａｈ規格によれば、必要に応じてＯＡＭレイヤを拡張することが許容されており、ＯＡＭレイヤを図４に示すような構成とすることができる。図４は、拡張ＯＡＭレイヤの一例を示す模式図である。拡張ＯＡＭレイヤ１７０は、基本情報部１７１と拡張情報部１７２から構成されている。基本情報部１７１には、上記のＬＯＳ信号等の基本の管理信号が設定されており、拡張情報部１７２には適宜規定されたデータを設定することができる。一例として、時刻情報やタイムスタンプ、そしてＯＬＴ−ＯＮＵ間の距離情報やデータの到達遅延情報等の情報を伝送するのに用いることができる。
【００４２】
本発明の第２の実施の形態に係る加入者宅側光回線終端装置（ＯＮＵ）を、図５を用いて説明する。図５は、本実施形態の加入者宅側光回線終端装置２００の構成を示すブロック図である。本実施形態では、第１実施形態のＯＮＵ１００に設けられていた第１マネージメント処理部１６５の機能を、第２マネージメント処理部１６０に統合してマネージメント処理部２６０としており、これによりＯＮＵ２００の構造を簡素化している。第１マネージメント処理部１６５を削除したことにより、副シリアル伝送路１６６はシリアル信号端１２１とマネージメント処理部２６０とを接続するように形成されている。また、追加監視信号伝送路１６７は不要となり、ＯＮＵ２００では削除されている。
【００４３】
上記のように、本実施形態のＯＮＵ２００では、マネージメント処理部２６０で従来と同様の物理データの信号処理を行うとともに、ＯＮＵ機能部１２０から管理信号を入力して外部ノードに出力する処理を行わせている。これにより、第１実施形態のＯＮＵ１００と同様に、外部ノードがＯＮＵ２００から管理信号の情報を入力して通信状態の確認を行うことが可能となる。また、本実施形態では、マネージメント処理部を一つにして構成を簡素化しており、コスト低減を図ることが可能となっている。
【００４４】
上記の第１実施形態のＯＮＵ１００及び第２実施形態のＯＮＵ２００では、従来、物理層に相当するデータを外部ノードに出力するのに用いられていたサブＩ／Ｆ部１４２を、データリンク層（第２層）の情報である管理信号の出力にも用いるように構成されている。サブＩ／Ｆ部１４２を介して、外部ノード７０がＯＮＵ１００または２００から管理信号を取得する実施例を以下に説明する。ここでは、第２実施形態のＯＮＵ２００を用いた場合について説明するが、第１実施形態のＯＮＵ１００を用いた場合でも、同様にして外部ノード７０がＯＮＵ１００から管理信号を取得することができる。図６は、外部ノード７０に第２実施形態のＯＮＵ２００を接続して管理信号を取得するときのデータの流れの一例を示すブロック図である。
【００４５】
図６において、外部ノード７０は、ＯＮＵ２００のサブＩ／Ｆ部１４２に接続するためのシリアル信号入出力部７１を備えているものとする。センタのＯＬＴ１１とＯＮＵ１００との間で伝送される信号を符号１８０で示しており、信号１８０にはＯＡＭレイヤに管理信号１８１が設定されている。この信号は、ＯＮＵ機能部１２０で終端処理されてマネージメント処理部２６０からアクセス可能となる。
【００４６】
一方、外部ノード７０において管理信号の要求信号１８２がシリアル信号入出力部７１から出力されると、サブＩ／Ｆ部１４２から監視信号伝送路１６２ａを経由してマネージメント処理部２６０に伝送される。マネージメント処理部２６０は、要求信号１８２が入力されると副シリアル伝送路１６６を介してＯＮＵ機能部１２０にアクセスし、管理信号１８１の中からあらかじめ選択された一部もしくは全部のデータ１８３をＯＮＵ機能部１２０から取得する。そして、入力した一部もしくは全部の管理信号１８３を監視信号伝送路１６２ａへ出力し、監視信号伝送路１６２ａからサブＩ／Ｆ部１４２を経由して外部ノード７０に出力する。
【００４７】
第２実施形態のＯＮＵ２００を上記のような構成とすることにより、外部ノード７０ではサブＩ／Ｆ部１４２を経由して所定の管理信号をＯＮＵ２００から入力することが可能となる。ＯＬＴ１１とＯＮＵ２００との間で伝送される管理信号１８１には、ＬＯＳ信号やリンク情報等が含まれていることから、これらの情報をあらかじめ選択しておくことで、マネージメント処理部２６０及び監視信号伝送路１６２を用いて外部ノード７０に出力することができ、加入者宅側で通信不具合の状況等を把握することが可能となる。その結果、ＯＮＵ２００のメンテナンス性を大幅に向上させることができる。
【００４８】
また、ＯＮＵ２００に対しては、製造時や保守時などに用いる試験用機器として、ＯＮＵ２００の動作情報の読み出しを行う機能に加えて、試験用信号や設定値等の外部信号をＯＮＵ２００に入力し、保守等を行う機能を持たせることができる。外部ノード７０をこのような試験用機器とした場合、例えばシリアル信号入出力部７１からＯＮＵ２００に対し所定の試験用信号を出力すると、この試験用信号は監視信号伝送路１６２ａを経由してマネージメント処理部２６０に伝送される。さらに、試験用信号を副シリアル伝送路１６６を経由してＯＮＵ機能部１２０に出力することができる。これにより、ＯＮＵ２００に対し高度な試験を行うことができ、保守等の作業を大幅に効率化することができる。
【００４９】
本発明のさらに別の実施形態として、信号１８０のＯＡＭレイヤにある管理信号を外部ノード７０から選択して読み出せるようにすることも可能である。すなわち、管理信号のうち必要とするデータの要求信号を外部信号として、外部ノード７０からサブＩ／Ｆ部１４２を介してＯＮＵ１００または２００に出力する。この要求信号が監視信号伝送路１６２ａを経由してマネージメント処理部１６０または２６０に伝送されると、マネージメント処理部１６０または２６０において、要求信号により要求された管理信号をＯＮＵ機能部１２０から読み出し、これを監視信号伝送路１６２ａを経由して外部ノード７０に出力することができる。このように、外部ノード７０からＯＮＵ１００または２００に対して管理信号を選択的に要求できるようにすることにより、ＯＮＵ１００または２００のメンテナンス性を大幅に向上させることができる。
【００５０】
本発明のさらに別の実施形態を、図７を用いて以下に説明する。上記の実施形態では、マネージメント処理部１６０または２６０が単独に設けられる構成となっていたが、本実施形態のＯＮＵ３００では、マネージメント処理部１６０または２６０が行う機能をＯＮＵ機能部１２０の内部で実行させるようにしている。すなわち、ＯＮＵ機能部１２０の処理に用いられている演算装置を利用して、マネージメント処理部１６０または２６０と同様の処理を行うマネージメント処理部３６０を設けている。これにより、ＯＮＵ３００のハードウェア構成を簡素化することができる。
【００５１】
マネージメント処理部３６０の処理をＯＮＵ機能部１２０の内部で行わせるために、電気／光変換部１１０に接続されるアナログ信号線１６１を、ＯＮＵ機能部１２０の所定のインタフェースに直接接続させている。また、サブＩ／Ｆ部１４２に接続される監視信号伝送路１６２も、ＯＮＵ機能部１２０の所定のシリアルインタフェースに直接接続させている。このような構成とすることにより、保守管理用の管理信号を外部ノードから入力できるＯＮＵ３００を簡素な構成で提供することができる。
【００５２】
なお、本実施の形態における記述は、本発明に係る加入者宅側光回線終端装置の一例を示すものであり、これに限定されるものではない。本実施の形態における加入者宅側光回線終端装置の細部構成及び詳細な動作等に関しては、本発明の趣旨を逸脱しない範囲で適宜変更可能である。
【図面の簡単な説明】
【００５３】
【図１】本発明の第１の実施形態に係る加入者宅側光回線終端装置の概略構成を示すブロック図である。
【図２】第１実施形態の加入者宅側光回線終端装置が用いられたＰＯＮ型光伝送システムの一例を示す構成図である。
【図３】従来の加入者宅側光回線終端装置にマネージメント処理部と伝送路とシリアルポートとを追加した構成を示すブロック図である。
【図４】拡張ＯＡＭレイヤの一例を示す模式図である。
【図５】本発明の第２の実施形態に係る加入者宅側光回線終端装置の概略構成を示すブロック図である。
【図６】外部ノードにＯＮＵを接続して管理信号を取得するときのデータの流れの一例を示すブロック図である。
【図７】本発明のさらに別の実施形態に係る加入者宅側光回線終端装置の概略構成を示すブロック図である。
【図８】従来の光伝送システムを示す構成図である。
【図９】従来の光伝送システムの加入者宅側光回線終端装置の概略構成を示すブロック図である。
【図１０】従来の加入者宅側光回線終端装置の詳細な構成を示すブロック図である。
【符号の説明】
【００５４】
１、２    光伝送システム
１０      ＰＯＮインタフェースカード
１１、９０１    ＯＬＴ
１２      認証機能部２０、４０、９０２、９０４    光ファイバ
３０、９０３    光カプラ
５０      ＯＮＵ
７０      外部ノード
８０、９１４    端末機器
１００、９０５、９２０    加入者宅側光回線終端装置
１１０    電気／光変換部
１２０，９０７    ＯＮＵ機能部
１２１    シリアル信号端
１３０、９０８    シリアル／パラレル変換部
１４０、９０９    ＭＳＡインタフェースモジュール
１４１    主Ｉ／Ｆ部
１４２    サブＩ／Ｆ部
１５０ａ、１５０ｂ    第１のシリアル伝送路
１５１ａ、１５１ｂ    パラレル伝送路
１５２ａ、１５２ｂ    第２のシリアル伝送路
１６０、１６５、２６０、３６０    マネージメント処理部
１６１    アナログ信号線
１６２    監視信号伝送路
１６６    副シリアル伝送路
１６７    追加監視信号伝送路
１７０    拡張ＯＡＭレイヤ
１７１    基本情報部
１７２    拡張情報部
１８０    信号
１８１    管理信号
１８２    要求信号
１８３    一部の管理信号
【図１】
2010154404.tif 000003
【図２】
2010154404.tif 000004
【図３】
2010154404.tif 000005
【図４】
2010154404.tif 000006
【図５】
2010154404.tif 000007
【図６】
2010154404.tif 000008
【図７】
2010154404.tif 000009
【図８】
2010154404.tif 000010
【図９】
2010154404.tif 000011
【図１０】
2010154404.tif 000012
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
光伝送路を介してセンタ側光回線終端装置と接続され、外部ノードとはＭＳＡ（マルチソースアグリーメント）インタフェースで接続されて終端処理を行う加入者宅側光回線終端装置であって、
前記センタ側光回線終端装置に接続されて信号の光電気変換及び電気光変換を行う電気／光変換部と、
前記電気／光変換部に接続されて前記信号の終端処理を行う光回線終端装置機能部と、
前記光回線終端装置機能部に接続されて前記信号のシリアル・パラレル変換及びパラレル・シリアル変換を行うシリアル／パラレル変換部と、
前記シリアル／パラレル変換部に接続されて前記外部ノードとの間で前記信号の入出力を行う主Ｉ／Ｆ（インタフェース）部と、管理用のシリアル信号を入出力するサブＩ／Ｆ部とを有するＭＳＡインタフェースモジュールと、
前記光回線終端装置機能部とシリアル信号線またはパラレル信号線で接続されて終端処理された前記信号の一部を入力し、前記信号の一部をシリアル信号に変換する第１マネージメント処理部と、
前記電気／光変換部に接続されて所定の物理データを入力し、該物理データをシリアル信号に変換して出力する第２マネージメント処理部と、
前記第２マネージメント処理部と前記サブＩ／Ｆ部とを接続する管理用のデータを伝送するための監視信号伝送路と、を備え、
第１マネージメント処理部は、管理用のデータを伝送するための別の監視信号伝送路で前記監視信号伝送路に接続されている
ことを特徴とする加入者宅側光回線終端装置。
【請求項２】
光伝送路を介してセンタ側光回線終端装置と接続され、外部ノードとはＭＳＡ（マルチソースアグリーメント）インタフェースで接続されて終端処理を行う加入者宅側光回線終端装置であって、
前記センタ側光回線終端装置に接続されて信号の光電気変換及び電気光変換を行う電気／光変換部と、
前記電気／光変換部に接続されて前記信号の終端処理を行う光回線終端装置機能部と、
前記光回線終端装置機能部に接続されて前記信号のシリアル・パラレル変換及びパラレル・シリアル変換を行うシリアル／パラレル変換部と、
前記シリアル／パラレル変換部に接続されて前記外部ノードとの間で前記信号の入出力を行う主Ｉ／Ｆ（インタフェース）部と、管理用のシリアル信号を入出力するサブＩ／Ｆ部とを有するＭＳＡインタフェースモジュールと、
前記電気／光変換部に接続されて所定の物理データを入力し、該物理データをシリアル信号に変換して出力する第２マネージメント処理部と、
前記第２マネージメント処理部と前記サブＩ／Ｆ部とを接続する管理用のデータを伝送するための監視信号伝送路と、を備え、
前記第２マネージメント処理部は、さらに前記光回線終端装置機能部とシリアル信号線またはパラレル信号線で接続されて終端処理された前記信号の一部を入力してシリアル信号に変換し、前記物理データまたは前記信号の一部から変換された前記シリアル信号を、前記監視信号伝送路を経由して前記サブＩ／Ｆ部に伝送している
ことを特徴とする加入者宅側光回線終端装置。
【請求項３】
前記信号は、ＰＯＮ規格に基づく管理信号を有しており、前記第１マネージメント処理部は、前記信号の一部として前記管理信号の一部を入力する
ことを特徴とする請求項１または２に記載の加入者宅側光回線終端装置。
【請求項４】
前記管理信号は、前記センタ側光回線終端装置との間で送受信されるＯＡＭ（Operation，Administration，and Maintenance）用の信号である
ことを特徴とする請求項３に記載の加入者宅側光回線終端装置。
【請求項５】
前記第１マネージメント処理部は、前記ＭＳＡインタフェースモジュールに接続された前記外部ノードから前記サブＩ／Ｆ部を介して入力された所定の外部信号に従って前記信号の一部を選択して出力する
ことを特徴とする請求項１乃至４のいずれか１項に記載の加入者宅側光回線終端装置。
【請求項６】
前記第１マネージメント処理部は、前記ＭＳＡインタフェースモジュールに接続された前記外部ノードから前記サブＩ／Ｆ部を介して所定の外部信号を入力し、該外部信号をシリアル信号またはパラレル信号に変換して前記光回線終端装置機能部に出力する
ことを特徴とする請求項１乃至５のいずれか１項に記載の加入者宅側光回線終端装置。
【請求項７】
前記第１マネージメント処理部は、前記光回線終端装置機能部と同じ演算装置を用いて処理され、前記管理信号伝送路は、前記演算装置と前記サブＩ／Ｆ部とを接続している
ことを特徴とする請求項１乃至６のいずれか１項に記載の加入者宅側光回線終端装置。
【請求項８】
前記ＯＡＭ用の信号は、時刻情報を有している
ことを特徴とする請求項４に記載の加入者宅側光回線終端装置。
【手続補正２】
【補正対象書類名】明細書
【補正対象項目名】００１１
【補正方法】変更
【補正の内容】
【００１１】
本発明の加入者宅側光回線終端装置の第１の態様は、光伝送路を介してセンタ側光回線終端装置と接続され、外部ノードとはＭＳＡ（マルチソースアグリーメント）インタフェースで接続されて終端処理を行う加入者宅側光回線終端装置であって、前記センタ側光回線終端装置に接続されて信号の光電気変換及び電気光変換を行う電気／光変換部と、前記電気／光変換部に接続されて前記信号の終端処理を行う光回線終端装置機能部と、前記光回線終端装置機能部に接続されて前記信号のシリアル・パラレル変換及びパラレル・シリアル変換を行うシリアル／パラレル変換部と、前記シリアル／パラレル変換部に接続されて前記外部ノードとの間で前記信号の入出力を行う主Ｉ／Ｆ（インタフェース）部と、管理用のシリアル信号を入出力するサブＩ／Ｆ部とを有するＭＳＡインタフェースモジュールと、前記光回線終端装置機能部とシリアル信号線またはパラレル信号線で接続されて終端処理された前記信号の一部を入力し、前記信号の一部をシリアル信号に変換する第１マネージメント処理部と、前記電気／光変換部に接続されて所定の物理データを入力し、該物理データをシリアル信号に変換して出力する第２マネージメント処理部と、前記第２マネージメント処理部と前記サブＩ／Ｆ部とを接続する管理用のデータを伝送するための監視信号伝送路と、を備え、第１マネージメント処理部は、管理用のデータを伝送するための別の監視信号伝送路で前記監視信号伝送路に接続されていることを特徴とする。
【手続補正３】
【補正対象書類名】明細書
【補正対象項目名】００１２
【補正方法】変更
【補正の内容】
【００１２】
本発明の加入者宅側光回線終端装置の他の態様は、光伝送路を介してセンタ側光回線終端装置と接続され、外部ノードとはＭＳＡ（マルチソースアグリーメント）インタフェースで接続されて終端処理を行う加入者宅側光回線終端装置であって、前記センタ側光回線終端装置に接続されて信号の光電気変換及び電気光変換を行う電気／光変換部と、前記電気／光変換部に接続されて前記信号の終端処理を行う光回線終端装置機能部と、前記光回線終端装置機能部に接続されて前記信号のシリアル・パラレル変換及びパラレル・シリアル変換を行うシリアル／パラレル変換部と、前記シリアル／パラレル変換部に接続されて前記外部ノードとの間で前記信号の入出力を行う主Ｉ／Ｆ（インタフェース）部と、管理用のシリアル信号を入出力するサブＩ／Ｆ部とを有するＭＳＡインタフェースモジュールと、前記電気／光変換部に接続されて所定の物理データを入力し、該物理データをシリアル信号に変換して出力する第２マネージメント処理部と、前記第２マネージメント処理部と前記サブＩ／Ｆ部とを接続する管理用のデータを伝送するための監視信号伝送路と、を備え、前記第２マネージメント処理部は、さらに前記光回線終端装置機能部とシリアル信号線またはパラレル信号線で接続されて終端処理された前記信号の一部を入力してシリアル信号に変換し、前記物理データまたは前記信号の一部から変換された前記シリアル信号を、前記監視信号伝送路を経由して前記サブＩ／Ｆ部に伝送していることを特徴とする。
【手続補正４】
【補正対象書類名】明細書
【補正対象項目名】００１７
【補正方法】変更
【補正の内容】
【００１７】
本発明の加入者宅側光回線終端装置の他の態様は、前記第１マネージメント処理部は、前記光回線終端装置機能部と同じ演算装置を用いて処理され、前記管理信号伝送路は、前記演算装置と前記サブＩ／Ｆ部とを接続していることを特徴とする。  
本発明の加入者宅側光回線終端装置の他の態様は、前記ＯＡＭ用の信号は、時刻情報を有していることを特徴とする。